(57)【要約】【課題】ずれが発生しにくい放熱装置を提供する。【解決手段】放熱装置は、伝熱台１と、伝熱台１に当接する少なくとも一つのヒートパイプ２とを備える。そのうち、伝熱台１は、ヒートパイプ２が組み立てられる底面１０、底面１０に凹状に設けられる溝部１２、および溝部１２の内壁から突出して一体に形成される固定リブ１２０を有する。ヒートパイプ２は、伝熱台１の溝部１２の内壁に当接する。固定リブ１２０は、ヒートパイプ２が溝部１２の内壁と当接する面を押し付けて変形させ、固定リブ１２０に対応する固定切欠きを形成する。これにより、ヒートパイプ２は、溝部１２の内部においてずれが発生しにくい。【選択図】図４
0003170757.tif 000002
【実用新案登録請求の範囲】
【請求項１】
ヒートパイプが組み立てられる組立面、前記組立面に凹状に設けられる溝部、および前記溝部の内壁から突出して設けられる固定リブを有する伝熱台と、
前記伝熱台の前記溝部に圧入され、前記溝部の内壁と当接する面が前記固定リブに押し付けられることで変形し、前記固定リブに対応する固定切欠きが形成されるヒートパイプと、
を備えることを特徴とする放熱装置。
【請求項２】
前記伝熱台の前記組立面は下向きに配置される面であることを特徴とする請求項１記載の放熱装置。
【請求項３】
前記伝熱台の前記溝部の断面は、半円形より大きい弓状を呈することを特徴とする請求項１記載の放熱装置。
【請求項４】
前記溝部の前記固定リブは、複数であることを特徴とする請求項１記載の放熱装置。
【請求項５】
複数の前記固定リブは、前記溝部の内壁において、互いに離間して形成されることを特徴とする請求項４記載の放熱装置。
【請求項６】
前記固定リブは、対応する前記溝部の長さ方向に沿って伸びるように形成されることを特徴とする請求項１、請求項４、および請求項５のいずれか一項に記載の放熱装置。
【請求項７】
前記固定リブは、対応する前記溝部の片側の内縁に沿って設けられることを特徴とする請求項１、請求項４、および請求項５のいずれか一項に記載の放熱装置。
【請求項８】
前記固定リブは、対応する前記溝部の両側の内縁に沿って設けられることを特徴とする請求項１、請求項４、および請求項５のいずれか一項に記載の放熱装置。
【請求項９】
前記ヒートパイプは、複数であり、
前記伝熱台の前記溝部は、前記ヒートパイプと同じ数であることを特徴とする請求項１記載の放熱装置。
【請求項１０】
前記ヒートパイプと前記伝熱台とは、当接することを特徴とする請求項１記載の放熱装置体。
【考案の詳細な説明】
【技術分野】
【０００１】
本考案は、放熱装置に関し、特にヒートパイプおよび伝熱台の組立体に関する。
【背景技術】
【０００２】
ヒートパイプ（Ｈｅａｔ  ｐｉｐｅ）と伝熱台との結合を利用し、伝熱台の伝熱効率を向上させることは、もはや従来の放熱器の一般的な手段または構成の一つである。さらに、従来技術によれば、半田部材を使用し、ヒートパイプを伝熱台に取り付けるか、または略楕円形の弓状溝部を利用し、ヒートパイプが接触する表面の変形を形成し、ヒートパイプを伝熱台の溝部の内部に結合した後のずれや脱落などの問題を防止する。
【考案の概要】
【考案が解決しようとする課題】
【０００３】
しかし、前述とおり、ヒートパイプと伝熱台とは、半田部材などの接着剤で固定しておかないと、ヒートパイプと伝熱台との接触面が弓状のため、移動または脱落などのずれ問題が発生するおそれがある。さらに、結合するヒートパイプが複数であるとき、溝部が略楕円形で形成されるため、各ヒートパイプ相互の間隔が大きくなる。複数のヒートパイプに適用した場合、各ヒートパイプを有効に集めることができない。一方、半田部材などの接着剤を使用して固定する場合、半田部材が少なすぎて接着できない、または半田部材が多すぎて溢れだすなどの問題がある。そのほか、従来の方法は、半田部材を使用し、製造コストがアップし、理想的と言えない。
【０００４】
本考案は、このような点に鑑みて創作されたものであり、その目的は、半田部材を使用せず、ずれが発生しにくく、複数のヒートパイプを有効的に集めることが可能な放熱装置を提供することにある。
【課題を解決するための手段】
【０００５】
前述目的を達成するため、本考案による放熱装置は、伝熱台と、伝熱台に当接する少なくとも一つのヒートパイプと、を備える。そのうち、伝熱台は、ヒートパイプが組み立てられる組立面、組立面に凹状に設けられる溝部、および溝部の内壁から突出して一体に形成される固定リブを有する。ヒートパイプは、伝熱台の溝部の内壁に当接し、溝部の内壁と当接する面が固定リブに押し付けられることで変形し、固定リブに対応する固定切欠きが形成される。これにより、ヒートパイプは溝部の内部においてずれが発生しにくい。
【図面の簡単な説明】
【０００６】
【図１】本考案の第１実施例による放熱装置の斜視図である。
【図２】本考案の第１実施例による放熱装置のヒートパイプと伝熱台とが組合せ前の模式図その一である。
【図３】本考案の第１実施例による放熱装置のヒートパイプと伝熱台とが組合わせ前の模式図その二である。
【図４】本考案の第１実施例による放熱装置のヒートパイプと伝熱台とが組合わせ後の模式図である。
【図５】本考案の第２実施例による放熱装置のヒートパイプと伝熱台とが組合わせ前の模式図である。
【図６】本考案の第２実施例による放熱装置のヒートパイプと伝熱台とが組合わせ後の模式図である。
【図７】本考案の第３実施例による放熱装置のヒートパイプと伝熱台が組合わせ前の模式図である。
【図８】本考案の第３実施例による放熱装置のヒートパイプと伝熱台とが組合わせ後の模式図である。
【図９】本考案の第４実施例による放熱装置のヒートパイプと伝熱台とが組合わせ後の模式図である。
【考案を実施するための形態】
【０００７】
以下、本考案の実施例による放熱装置を図面に基づいて説明する。ただし、添付図面は参考と説明を目的とし、本考案になんらの制限を加わるものではない。
【０００８】
（第１実施例）
図１を参照する。本考案の第１実施例による放熱装置は、伝熱台１と、伝熱台１に当接する少なくとも一つのヒートパイプ（Ｈｅａｔ  ｐｉｐｅ）２と、を備える。ヒートパイプ２を介して伝熱台１に結合し、伝熱台１の伝熱効果を向上させる。
【０００９】
伝熱台１は、銅またはアルミなど良好な伝熱性を有する部材からなる。例えば、放熱器として、熱源が発生する台に貼り合わせる。さらに、伝熱台１は、熱源に貼り合わせる少なくとも一つの底面１０と、底面１０と反対側の上面１１と、を備える。本実施例において、ヒートパイプ２は、伝熱台１の底面１０に結合する。伝熱台１は、上面１１が複数のヒートシンク３に結合し、放熱器を構成することができる。
【００１０】
図２を合わせて参照する。伝熱台１の底面１０に、ヒートパイプ２と対応する数の溝部１２が凹状に設けられる。しかし、溝部１２は、伝熱台１の底面１０に設けられることに限らない。各溝部１２の断面は、半円形よりやや大きい弓状を呈する。ヒートパイプ２をそれぞれ各溝部１２に圧入する。各溝部１２の内壁に、内面から少なくとも一つの固定リブ１２０が突出して一体に形成される。各固定リブ１２０は、それぞれ対応する溝部１２の長さ方向に沿って伸びるように形成される。
【００１１】
引き続き、図３と図４とを合わせて参照する。各ヒートパイプ２を対応する溝部１２に圧入したとき、ヒートパイプ２は、溝部１２の内部に進入し、溝部１２内部の固定リブ１２０に対向して互いにあてがいを形成する。これにより、固定リブ１２０は、ヒートパイプ２の対応する面を押し付けて変形させ、固定切欠き２０を形成する。固定リブ１２０は、ヒートパイプ２の対応する面を圧迫する。これにより、ヒートパイプ２と伝熱台１との接触関係は、弓状接触関係ではない。ヒートパイプ２が伝熱台１の溝部１２からの緩みや脱落などの問題を有効的に防止することができる。そのほか、ヒートパイプ２は、半田部材を使用しなくても、伝熱台１と結合し、かつ相互に直接的に接触（すなわち、その間に半田部材を使用しない）することができる。このほか、ヒートパイプ２が溝部１２に進入していない部分は、圧迫を受けて受熱面２１を形成する。受熱面２１と伝熱台１の底面１０とが同じ高さになり、熱源との接触に便利である。
【００１２】
（第２実施例）
図５と図６とを参照する。各溝部１２の固定リブ１２０は、複数であっても良い。複数の固定リブ１２０は、溝部１２の内壁において、互いに離間して均一に配列されても良い。これにより、ヒートパイプ２と伝熱台１との固定効果を向上させることができる。
【００１３】
（第３実施例）
図７と図８とを参照する。対応する溝部１２の片側の内縁に沿って、または各溝部１２の両側の内縁に沿って、固定リブ１２０を設置することができる。これにより、前述の目的を達成することができる。ヒートパイプ２は、溝部１２の内側に当接する。また、固定リブ１２０は、ヒートパイプ２が溝部１２からの脱落を有効的に防止することができる。
【００１４】
（第４実施例）
図９を参照する。前述第２実施例および第３実施例をさらに一体に整合することによって、前述２つの実施例の長所と効果を兼ね合わせることができる。
【００１５】
このように、前述の構成と組み合わせによって、本考案による放熱装置が得られる。
【００１６】
以上、本考案はこのような実施例に限定されるものではなく、考案の趣旨を逸脱しない範囲において、種々の形態で実施することができる。
【符号の説明】
【００１７】
１    ・・・伝熱台
１０  ・・・底面
１１  ・・・上面
１２  ・・・溝部
１２０・・・固定リブ
２    ・・・ヒートパイプ
２０  ・・・固定切欠き
２１  ・・・受熱面
３    ・・・ヒートシンク
【図１】
0003170757.tif 000003
【図２】
0003170757.tif 000004
【図３】
0003170757.tif 000005
【図４】
0003170757.tif 000006
【図５】
0003170757.tif 000007
【図６】
0003170757.tif 000008
【図７】
0003170757.tif 000009
【図８】
0003170757.tif 000010
【図９】
0003170757.tif 000011